(57)【要約】【課題】この発明は、表示要求に基づいて表示される電子番組表の内容を、現在選局しているチャンネルまたは番組に無関係に予め設定された所定の表示形態に規定して、ユーザにとって分かり易い番組表示を行なうことを可能とした番組表表示装置、番組表表示方法及び放送受信装置を提供することを目的としている。【解決手段】電子番組表を所定の日時に対応した部分の表示に切り換える第１のキー（赤のカラーキー１７ｍ）と、電子番組表を現在の日時に対応した部分の表示に戻す第２のキー（青のカラーキー１７ｍ）とを備え、電子番組表の表示が要求されたとき、チャンネル軸に沿って配列される複数の放送局を、受信可能な放送局の中で事業者識別番号の最も小さい放送局を起点として配置するとともに、第１及び第２のキー（赤及び青のカラーキー１７ｍ）が操作されたときに実現される機能を表示する電子番組表を作成する。【選択図】    図４
2010028857.tif 000002
【特許請求の範囲】
【請求項１】
放送信号から事業者識別番号を含む番組情報を取得する取得手段と、
前記取得手段で取得された番組情報に基づいて、複数の放送局を一方向に配列したチャンネル軸と、前記チャンネル軸と直交する方向に配列した時間軸とを有し、前記チャンネル軸と時間軸とで示される領域を対応する番組情報の表示領域とする電子番組表を作成する作成手段と、
現在選局しているチャンネルまたは番組の表示中に前記電子番組表を表示させる要求を行なう番組表キーと、表示された電子番組表を１画面単位でスキップさせるページ切換キーと、表示された電子番組表を所定の日時に対応した部分の表示に切り換える第１のキーと、所定の日時に対応した部分が表示されている電子番組表を現在の日時に対応した部分の表示に戻す第２のキーとを含むリモートコントローラとを具備し、
前記番組表キーの操作により前記電子番組表を表示させる要求が行なわれたとき、前記作成手段は、前記チャンネル軸に沿って配列される複数の放送局を、前記現在選局しているチャンネルまたは番組に無関係に、前記番組情報に含まれる事業者識別番号に基づいた順序で、受信可能な放送局の中で事業者識別番号の最も小さい放送局を起点として配置するとともに、前記第１及び第２のキーが操作されたときに実現される機能を表示する電子番組表を作成することを特徴とする番組表表示装置。
【請求項２】
前記作成手段は、表示が要求されて最初に表示された電子番組表内に、現在選局中の番組が存在している場合、その番組をカーソルで指示した表示を行なわせることを特徴とする請求項１記載の番組表表示装置。
【請求項３】
前記作成手段は、表示が要求されて最初に表示された電子番組表内に表示されている番組のうち、予め設定された位置に対応した番組をカーソルで指示した表示を行なわせることを特徴とする請求項１記載の番組表表示装置。
【請求項４】
前記事業者識別番号は、地域事業識別であることを特徴とする請求項１記載の番組表表示装置。
【請求項５】
前記作成手段は、前記事業者識別番号の最も小さい放送局を起点とする電子番組表を表示するか、前記現在選局しているチャンネルの放送局を起点とする電子番組表を表示するかを、選択的に設定可能であることを特徴とする請求項１記載の番組表表示装置。
【請求項６】
前記作成手段は、前記事業者識別番号の最も小さい放送局で現在放送中の番組をカーソルで指示した表示を行なわせることを特徴とする請求項１記載の番組表表示装置。
【請求項７】
前記作成手段は、受信可能な放送局が前記電子番組表の１画面内に全て表示可能でない場合であって、表示が要求されて最初に表示される電子番組表内に現在選局中の放送局が含まれるとき、前記事業者識別番号の最も小さい放送局を起点とする電子番組表を表示することを特徴とする請求項１記載の番組表表示装置。
【請求項８】
前記作成手段は、受信可能な放送局が前記電子番組表の１画面内に全て表示可能でない場合であって、表示が要求されて最初に表示される電子番組表内に現在選局中の放送局が含まれないとき、表示が要求されて最初に表示される電子番組表内に現在選局中の放送局を含めて表示することを特徴とする請求項１記載の番組表表示装置。
【請求項９】
放送信号を受信する受信手段と、
前記受信手段で受信した放送信号から所望のチャンネルの信号を抽出して所定の信号処理を施すことで映像信号を生成する信号処理手段と、
前記信号処理手段で得られた映像信号を出力する出力手段と、
前記放送信号から事業者識別番号を含む番組情報を取得する取得手段と、
前記取得手段で取得された番組情報に基づいて、複数の放送局を一方向に配列したチャンネル軸と、前記チャンネル軸と直交する方向に配列した時間軸とを有し、前記チャンネル軸と時間軸とで示される領域を対応する番組情報の表示領域とする電子番組表を作成する作成手段と、
現在選局しているチャンネルまたは番組の表示中に前記電子番組表を表示させる要求を行なう番組表キーと、表示された電子番組表を１画面単位でスキップさせるページ切換キーと、表示された電子番組表を所定の日時に対応した部分の表示に切り換える第１のキーと、所定の日時に対応した部分が表示されている電子番組表を現在の日時に対応した部分の表示に戻す第２のキーとを含むリモートコントローラとを具備し、
前記番組表キーの操作により前記電子番組表を表示させる要求が行なわれたとき、前記作成手段は、前記チャンネル軸に沿って配列される複数の放送局を、前記現在選局しているチャンネルまたは番組に無関係に、前記番組情報に含まれる事業者識別番号に基づいた順序で、受信可能な放送局の中で事業者識別番号の最も小さい放送局を起点として配置するとともに、前記第１及び第２のキーが操作されたときに実現される機能を表示する電子番組表を作成することを特徴とする放送受信装置。
【請求項１０】
放送信号から事業者識別番号を含む番組情報を取得する取得工程と、
前記取得工程で取得された番組情報に基づいて、複数の放送局を一方向に配列したチャンネル軸と、前記チャンネル軸と直交する方向に配列した時間軸とを有し、前記チャンネル軸と時間軸とで示される領域を対応する番組情報の表示領域とする電子番組表を作成する作成工程と、
リモートコントローラの番組表キーの操作により、現在選局しているチャンネルまたは番組の表示中に前記電子番組表を表示させる工程と、
前記リモートコントローラのページ切換キーを操作することにより、表示された電子番組表を１画面単位でスキップさせる工程と、
前記リモートコントローラの第１のキーを操作することにより、表示された電子番組表を所定の日時に対応した部分の表示に切り換える工程と、
前記リモートコントローラの第２のキーを操作することにより、所定の日時に対応した部分が表示されている電子番組表を現在の日時に対応した部分の表示に戻す工程とを具備し、
前記番組表キーにより前記電子番組表を表示させる要求が行なわれたとき、前記作成工程では、前記チャンネル軸に沿って配列される複数の放送局を、現在選局しているチャンネルまたは番組に無関係に、前記番組情報に含まれる事業者識別番号に基づいた順序で、受信可能な放送局の中で事業者識別番号の最も小さい放送局を起点として配置するとともに、前記第１及び第２のキーが操作されたときに実現される機能を表示する電子番組表を作成することを特徴とする番組表表示方法。
【発明の詳細な説明】
【技術分野】
【０００１】
この発明は、例えばデジタルテレビジョン放送受信装置等に使用して好適する番組表表示装置、番組表表示方法及び放送受信装置に関する。
【背景技術】
【０００２】
周知のように、近年では、テレビジョン放送のデジタル化が推進されている。例えば、日本国内においては、ＢＳ（broadcasting satellite）デジタル放送及び１１０度ＣＳ（communication satellite）デジタル放送等の衛星デジタル放送だけでなく、地上デジタル放送も開始されている。
【０００３】
そして、このようなデジタルテレビジョン放送を受信するデジタルテレビジョン放送受信装置では、放送信号から取得したＥＰＧ（electronic program guide）情報に基づいて電子番組表を作成し、画面に映像表示している。これにより、ユーザは、映像表示された電子番組表から所望の番組を選択して、視聴や録画予約等を行なうことができる。
【０００４】
ところで、現在、デジタルテレビジョン放送において、ＥＰＧ情報には、放送される多数のチャンネルのそれぞれに対して、１週間先までの電子番組表を作成可能な情報が含まれている。また、ラジオ放送の場合、ＥＰＧ情報には、放送される各チャンネルのそれぞれに対して、３日先までの電子番組表を作成可能な情報が含まれている。
【０００５】
このため、デジタルテレビジョン放送受信装置では、限られた画面内に全ての電子番組表を同時に表示させることはできないので、画面上で電子番組表を部分的に切り替えながら表示させるようにしている。この場合、ユーザは、画面上でスクロール操作やページ切替操作等を行なうことにより、電子番組表の見たい部分を表示させるようにしている。
【０００６】
ここで、この種のデジタルテレビジョン放送受信装置において、電子番組表は、ユーザの表示要求操作に基づいて表示される。そして、現状では、電子番組表の表示要求操作が行なわれたとき、表示される電子番組表の内容が、現在選局しているチャンネルまたは番組を起点としたものとなるようにしている。
【０００７】
例えば、現在選局しているチャンネルを画面の中央部分に配置する表示形態や、現在視聴している番組を電子番組表上の予め設定された位置に配置する表示形態等が採用されているが、いずれも、ユーザにとって見易く分かり易い番組表の表示形態であるという点では、万能とはいえないのが実状である。
【０００８】
特許文献１には、番組表上において、複数のチャンネルを同時に表示することにより一覧性を持たせるとともに、表示しているチャンネルの番組時刻を揃えることで、通常の新聞の番組欄を見ている間隔を実現し、視認性を向上させることができるようにした番組表表示装置が開示されている。
【先行技術文献】
【特許文献】
【０００９】
【特許文献１】特開平７−１９３７６２号公報
【発明の概要】
【発明が解決しようとする課題】
【００１０】
そこで、この発明は上記事情を考慮してなされたもので、表示要求に基づいて表示される電子番組表の内容を、現在選局しているチャンネルまたは番組に無関係に予め設定された所定の表示形態に規定して、ユーザにとって分かり易い番組表示を行なうことを可能とした番組表表示装置、番組表表示方法及び放送受信装置を提供することを目的とする。
【課題を解決するための手段】
【００１１】
この発明に係る番組表表示装置は、放送信号から事業者識別番号を含む番組情報を取得する取得手段と；取得手段で取得された番組情報に基づいて、複数の放送局を一方向に配列したチャンネル軸と、チャンネル軸と直交する方向に配列した時間軸とを有し、チャンネル軸と時間軸とで示される領域を対応する番組情報の表示領域とする電子番組表を作成する作成手段と；現在選局しているチャンネルまたは番組の表示中に電子番組表を表示させる要求を行なう番組表キーと、表示された電子番組表を１画面単位でスキップさせるページ切換キーと、表示された電子番組表を所定の日時に対応した部分の表示に切り換える第１のキーと、所定の日時に対応した部分が表示されている電子番組表を現在の日時に対応した部分の表示に戻す第２のキーとを含むリモートコントローラとを備え；番組表キーの操作により電子番組表を表示させる要求が行なわれたとき、作成手段は、チャンネル軸に沿って配列される複数の放送局を、現在選局しているチャンネルまたは番組に無関係に、番組情報に含まれる事業者識別番号に基づいた順序で、受信可能な放送局の中で事業者識別番号の最も小さい放送局を起点として配置するとともに、第１及び第２のキーが操作されたときに実現される機能を表示する電子番組表を作成するようにしたものである。
【００１２】
また、この発明に係る番組表表示方法は、放送信号から事業者識別番号を含む番組情報を取得する取得工程と；取得工程で取得された番組情報に基づいて、複数の放送局を一方向に配列したチャンネル軸と、チャンネル軸と直交する方向に配列した時間軸とを有し、チャンネル軸と時間軸とで示される領域を対応する番組情報の表示領域とする電子番組表を作成する作成工程と；リモートコントローラの番組表キーの操作により、現在選局しているチャンネルまたは番組の表示中に電子番組表を表示させる工程と；リモートコントローラのページ切換キーを操作することにより、表示された電子番組表を１画面単位でスキップさせる工程と；リモートコントローラの第１のキーを操作することにより、表示された電子番組表を所定の日時に対応した部分の表示に切り換える工程と；リモートコントローラの第２のキーを操作することにより、所定の日時に対応した部分が表示されている電子番組表を現在の日時に対応した部分の表示に戻す工程とを備え；番組表キーにより電子番組表を表示させる要求が行なわれたとき、作成工程では、チャンネル軸に沿って配列される複数の放送局を、現在選局しているチャンネルまたは番組に無関係に、番組情報に含まれる事業者識別番号に基づいた順序で、受信可能な放送局の中で事業者識別番号の最も小さい放送局を起点として配置するとともに、第１及び第２のキーが操作されたときに実現される機能を表示する電子番組表を作成するようにしたものである。
【００１３】
さらに、この発明に係る放送受信装置は、放送信号を受信する受信手段と；受信手段で受信した放送信号から所望のチャンネルの信号を抽出して所定の信号処理を施すことで映像信号を生成する信号処理手段と；信号処理手段で得られた映像信号を出力する出力手段と；放送信号から事業者識別番号を含む番組情報を取得する取得手段と；取得手段で取得された番組情報に基づいて、複数の放送局を一方向に配列したチャンネル軸と、チャンネル軸と直交する方向に配列した時間軸とを有し、チャンネル軸と時間軸とで示される領域を対応する番組情報の表示領域とする電子番組表を作成する作成手段と；現在選局しているチャンネルまたは番組の表示中に電子番組表を表示させる要求を行なう番組表キーと、表示された電子番組表を１画面単位でスキップさせるページ切換キーと、表示された電子番組表を所定の日時に対応した部分の表示に切り換える第１のキーと、所定の日時に対応した部分が表示されている電子番組表を現在の日時に対応した部分の表示に戻す第２のキーとを含むリモートコントローラとを備え；番組表キーの操作により電子番組表を表示させる要求が行なわれたとき、作成手段は、チャンネル軸に沿って配列される複数の放送局を、現在選局しているチャンネルまたは番組に無関係に、番組情報に含まれる事業者識別番号に基づいた順序で、受信可能な放送局の中で事業者識別番号の最も小さい放送局を起点として配置するとともに、第１及び第２のキーが操作されたときに実現される機能を表示する電子番組表を作成するようにしたものである。
【発明の効果】
【００１４】
上記した発明によれば、リモートコントローラに、現在選局しているチャンネルまたは番組の表示中に電子番組表を表示させる要求を行なう番組表キーと、表示された電子番組表を１画面単位でスキップさせるページ切換キーと、表示された電子番組表を所定の日時に対応した部分の表示に切り換える第１のキーと、所定の日時に対応した部分が表示されている電子番組表を現在の日時に対応した部分の表示に戻す第２のキーとを備え、電子番組表を表示させる要求が行なわれたとき、チャンネル軸に沿って配列される複数の放送局を、現在選局しているチャンネルまたは番組に無関係に、番組情報に含まれる事業者識別番号に基づいた順序で、受信可能な放送局の中で事業者識別番号の最も小さい放送局を起点として配置するとともに、第１及び第２のキーが操作されたときに実現される機能を表示する電子番組表を作成するようにしたので、ユーザにとって分かり易い番組表示を行なうことが可能となる。
【図面の簡単な説明】
【００１５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態におけるデジタルテレビジョン放送受信装置で表示される電子番組表の表示形態の一例を説明するために示す図。
【図５】同実施の形態におけるデジタルテレビジョン放送受信装置で表示される電子番組表の表示形態の他の例を説明するために示す図。
【図６】同実施の形態におけるデジタルテレビジョン放送受信装置で表示される電子番組表の表示形態のさらに他の例を説明するために示す図。
【図７】同実施の形態におけるデジタルテレビジョン放送受信装置で表示される電子番組表の表示形態のさらに他の例を説明するために示す図。
【図８】同実施の形態におけるデジタルテレビジョン放送受信装置で実行される電子番組表を作成する処理動作を説明するために示すフローチャート。
【図９】同実施の形態におけるデジタルテレビジョン放送受信装置で表示される表示形態選択画面の一例を説明するために示す図。
【発明を実施するための最良の形態】
【００１６】
以下、この発明の実施の形態について図面を参照して詳細に説明する。図１は、この実施の形態で説明するデジタルテレビジョン放送受信装置１１の外観と、このデジタルテレビジョン放送受信装置１１を中心として構成されるネットワークシステムの一例を概略的に示している。
【００１７】
すなわち、デジタルテレビジョン放送受信装置１１は、主として、薄型のキャビネット１２と、このキャビネット１２を起立させて支持する支持台１３とから構成されている。そして、キャビネット１２には、例えば液晶表示パネル等を備えた平面パネル型ディスプレイである映像表示器１４、１対のスピーカ１５、操作部１６、リモートコントローラ１７から送信される操作情報を受ける受光部１８等が設置されている。
【００１８】
また、このデジタルテレビジョン放送受信装置１１には、例えばＳＤ（secure digital）メモリカード、ＭＭＣ（multimedia card）及びメモリスティック等の第１のメモリカード１９が着脱可能となっており、この第１のメモリカード１９に対して番組や写真等の情報の記録再生が行なわれるようになっている。
【００１９】
さらに、このデジタルテレビジョン放送受信装置１１には、例えば契約情報等の記録された第２のメモリカード［ＩＣ（integrated circuit）カード］２０が着脱可能となっている。そして、この第２のメモリカード２０に対して契約情報の再生が行なわれるようになっている。
【００２０】
また、このデジタルテレビジョン放送受信装置１１は、第１のＬＡＮ（local area network）端子２１、第２のＬＡＮ端子２２、ＵＳＢ（universal serial bus）端子２３及びＩＥＥＥ（institute of electrical and electronics engineers）１３９４端子２４を備えている。
【００２１】
このうち、第１のＬＡＮ端子２１は、ＬＡＮ対応ＨＤＤ専用ポートとして使用されるもので、接続されたＮＡＳ（network attached storage）であるＬＡＮ対応のＨＤＤ（hard disk drive）２５に対して、イーサネット（登録商標）により情報の記録再生を行なうために使用される。
【００２２】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができるようになる。
【００２３】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（personal computer）２８、デジタル放送受信機能を有するＨＤＤ内蔵のＤＶＤ（digital versatile disk）レコーダ２９等の機器を接続し、これらの機器と情報伝送を行なうために使用される。
【００２４】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２５】
さらに、この第２のＬＡＮ端子２２は、ハブ２６に接続されたブロードバンドルータ３１を介して、例えばインターネット等のネットワーク３２に接続可能であり、そのネットワーク３２を介してＰＣ３３や携帯電話３４等の各種情報端末と情報伝送を行なうために使用される。
【００２６】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２７】
さらに、上記ＩＥＥＥ１３９４端子２４は、例えば、それぞれがデジタル放送受信機能を有するＡＶ（audio video）−ＨＤＤ４１やＤ（digital）−ＶＨＳ（video home system）４２等をシリアル接続し、これらの機器と情報伝送を行なうために使用される。
【００２８】
図２は、上記したデジタルテレビジョン放送受信装置１１の主要な信号処理系を示している。すなわち、ＢＳ／ＣＳデジタル放送受信用のアンテナ４３で受信した衛星デジタル放送信号は、入力端子４４を介して衛星デジタル放送用のチューナ４５に供給されることにより、所望のチャンネルの放送信号が選局される。
【００２９】
そして、このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化された後、信号処理部４８に出力される。
【００３０】
また、地上波放送受信用のアンテナ４９で受信した地上デジタルテレビジョン放送信号は、入力端子５０を介して地上デジタル放送用のチューナ５１に供給されることにより、所望のチャンネルの放送信号が選局される。
【００３１】
そして、このチューナ５１で選局された放送信号は、ＯＦＤＭ（orthogonal frequency division multiplexing）復調器５２に供給されてＴＳが復調される。このＴＳは、ＴＳ復号器５３に供給されてデジタルの映像信号及び音声信号に復号化された後、上記信号処理部４８に出力される。
【００３２】
また、上記地上波放送受信用のアンテナ４９で受信した地上アナログテレビジョン放送信号は、入力端子５０を介して地上アナログ放送用のチューナ５４に供給されることにより、所望のチャンネルの放送信号が選局される。そして、このチューナ５４で選局された放送信号は、アナログ復調器５５に供給されてアナログの映像信号及び音声信号に復調された後、上記信号処理部４８に出力される。
【００３３】
ここで、上記信号処理部４８は、ＴＳ復号器４７，５３からそれぞれ供給されたデジタルの映像信号及び音声信号に対して、選択的に所定のデジタル信号処理を施し、グラフィック処理部５６及び音声処理部５７に出力している。
【００３４】
また、上記信号処理部４８には、複数（図示の場合は４つ）の入力端子５８ａ，５８ｂ，５８ｃ，５８ｄが接続されている。これら入力端子５８ａ〜５８ｄは、それぞれ、アナログの映像信号及び音声信号を、デジタルテレビジョン放送受信装置１１の外部から入力可能とするものである。
【００３５】
そして、この信号処理部４８は、上記アナログ復調器５５及び各入力端子５８ａ〜５８ｄからそれぞれ供給されたアナログの映像信号及び音声信号を選択的にデジタル化し、そのデジタル化された映像信号及び音声信号に対して所定のデジタル信号処理を施した後、グラフィック処理部５６及び音声処理部５７に出力している。
【００３６】
このうち、グラフィック処理部５６は、信号処理部４８から供給されるデジタルの映像信号に、ＯＳＤ（on screen display）信号生成部５９で生成されるＯＳＤ信号を重畳して出力する機能を有する。また、このグラフィック処理部５６は、信号処理部４８の出力映像信号と、ＯＳＤ信号生成部５９の出力ＯＳＤ信号とを選択的に出力することや、両出力をそれぞれ画面の半分を構成するように組み合わせて出力することができる。
【００３７】
そして、グラフィック処理部５６から出力されたデジタルの映像信号は、映像処理部６０に供給される。この映像処理部６０は、入力されたデジタルの映像信号を、前記映像表示器１４で表示可能なフォーマットのアナログ映像信号に変換した後、映像表示器１４に出力して映像表示させるとともに、出力端子６１を介して外部に導出させる。
【００３８】
また、上記音声処理部５７は、入力されたデジタルの音声信号を、前記スピーカ１５で再生可能なフォーマットのアナログ音声信号に変換した後、スピーカ１５に出力して音声再生させるとともに、出力端子６２を介して外部に導出させる。
【００３９】
ここで、このデジタルテレビジョン放送受信装置１１は、上記した各種の受信動作を含むその全ての動作を制御部６３によって統括的に制御されている。この制御部６３は、ＣＰＵ（central processing unit）６３ａを内蔵しており、前記操作部１６からの操作情報を受け、または、リモートコントローラ１７から送出され前記受光部１８で受信した操作情報を受けて、その操作内容が反映されるように各部をそれぞれ制御している。
【００４０】
この場合、制御部６３は、主として、そのＣＰＵ６３ａが実行する制御プログラムを格納したＲＯＭ（read only memory）６３ｂと、該ＣＰＵ６３ａに作業エリアを提供するＲＡＭ（random access memory）６３ｃと、各種の設定情報及び制御情報等が格納される不揮発性メモリ６３ｄとを利用している。
【００４１】
また、この制御部６３は、カードＩ／Ｆ（interface）６４を介して、前記第１のメモリカード１９が装着可能なカードホルダ６５に接続されている。これによって、制御部６３は、カードホルダ６５に装着された第１のメモリカード１９と、カードＩ／Ｆ６４を介して情報伝送を行なうことができる。
【００４２】
さらに、上記制御部６３は、カードＩ／Ｆ６６を介して、前記第２のメモリカード２０が装着可能なカードホルダ６７に接続されている。これにより、制御部６３は、カードホルダ６７に装着された第２のメモリカード２０と、カードＩ／Ｆ６６を介して情報伝送を行なうことができる。
【００４３】
また、上記制御部６３は、通信Ｉ／Ｆ６８を介して第１のＬＡＮ端子２１に接続されている。これにより、制御部６３は、第１のＬＡＮ端子２１に接続されたＬＡＮ対応のＨＤＤ２５と、通信Ｉ／Ｆ６８を介して情報伝送を行なうことができる。この場合、制御部６３は、ＤＨＣＰ（dynamic host configuration protocol）サーバ機能を有し、第１のＬＡＮ端子２１に接続されたＬＡＮ対応のＨＤＤ２５にＩＰ（internet protocol）アドレスを割り当てて制御している。
【００４４】
さらに、上記制御部６３は、通信Ｉ／Ｆ６９を介して第２のＬＡＮ端子２２に接続されている。これにより、制御部６３は、第２のＬＡＮ端子２２に接続された各機器（図１参照）と、通信Ｉ／Ｆ６９を介して情報伝送を行なうことができる。
【００４５】
また、上記制御部６３は、ＵＳＢ Ｉ／Ｆ７０を介して前記ＵＳＢ端子２３に接続されている。これにより、制御部６３は、ＵＳＢ端子２３に接続された各機器（図１参照）と、ＵＳＢ Ｉ／Ｆ７０を介して情報伝送を行なうことができる。
【００４６】
さらに、上記制御部６３は、ＩＥＥＥ１３９４ Ｉ／Ｆ７１を介してＩＥＥＥ１３９４端子２４に接続されている。これにより、制御部６３は、ＩＥＥＥ１３９４端子２４に接続された各機器（図１参照）と、ＩＥＥＥ１３９４ Ｉ／Ｆ７１を介して情報伝送を行なうことができる。
【００４７】
また、上記制御部６３は、番組表作成制御部６３ｅを備えている。この番組表作成制御部６３ｅは、詳細は後述するが、映像表示器１４に表示される電子番組表を作成するものであり、特に、表示要求に基づいて表示される電子番組表の内容を、現在選局しているチャンネルまたは番組に無関係に、予め設定された所定の表示形態に規定する機能を有し、ユーザにとって分かり易い番組表示を行なえるようにしている。
【００４８】
図３は、上記リモートコントローラ１７の外観を示している。このリモートコントローラ１７には、主として、電源キー１７ａ、入力切換キー１７ｂ、衛星デジタル放送チャンネルのダイレクト選局キー１７ｃ、地上波放送チャンネルのダイレクト選局キー１７ｄ、クイックキー１７ｅ、カーソルキー１７ｆ、決定キー１７ｇ、番組表キー１７ｈ、ページ切換キー１７ｉ、faceネット（ナビゲーション）キー１７ｊ、戻るキー１７ｋ、終了キー１７ｌ、青，赤，緑，黄のカラーキー１７ｍ、チャンネルアップダウンキー１７ｎ、音量調整キー１７ｏ、メニューキー１７ｐ等が設けられている。
【００４９】
そして、このデジタルテレビジョン放送受信装置１１では、ユーザがリモートコントローラ１７の番組表キー１７ｈを操作することにより、上記番組表作成制御部６３ｅで作成した電子番組表を映像表示器１４に表示させることができる。なお、この電子番組表は、予め放送信号やネットワーク等を介して取得した番組情報であるＥＰＧ情報に基づいて作成されるものである。
【００５０】
図４は、ユーザがリモートコントローラ１７の番組表キー１７ｈを操作したとき、映像表示器１４に表示される電子番組表の表示形態の一例を示している。この電子番組表は、水平方向が複数（図示の場合は６つ）の放送局（チャンネル）を配列したチャンネル軸となり、垂直方向が数時間（図示の場合は５時間）分の時間範囲に対応した時間軸となって、番組を表示している。
【００５１】
すなわち、この電子番組表は、そのチャンネル軸方向に、それぞれが、放送局（放送事業者）名及びそのチャンネル番号の表示を行なうための複数（図示の場合は６つ）のチャンネル表示枠７２１〜７２６を配列している。図４では、各チャンネル表示枠７２１〜７２６に、図中左から右に向けて、放送局（放送事業者）Ａ，Ｂ，Ｃ，Ｄ，Ｅ，Ｆとそのチャンネル番号０１１，０２１，０４１，０５１，０６１，０７１とが対応して表示されている。
【００５２】
また、この電子番組表は、その時間軸方向に、それぞれが、時系列的に連続する単位時間（図示の場合は１時間）の表示を行なうための複数（図示の場合は５時間分）の時間枠７３１〜７３５を配列している。図４では、各時間枠７３１〜７３５に、図中上から下に向けて、午前６時台、午前７時台、午前８時台、午前９時台、午前１０時台を示す５時間分が表示されている。
【００５３】
そして、各放送局Ａ，Ｂ，Ｃ，Ｄ，Ｅ，Ｆで放送が予定されている各種の番組Ａ１〜Ａ６，Ｂ１〜Ｂ５，Ｃ１〜Ｃ５，Ｄ１〜Ｄ５，Ｅ１〜Ｅ５，Ｆ１〜Ｆ５の情報が、チャンネル表示枠７２１〜７２６と時間枠７３１〜７３５とで指定された対応する領域にそれぞれ表示されるようになっている。
【００５４】
また、この電子番組表では、その図中上部に、現在受信している放送の種類が地上デジタルテレビジョン放送であることを示す「地上Ｄテレビ」なる表示と、現在日時が１０月２８日の土曜日の午前６時１３分であることを示す「現在日時 １０／２８（土） ＡＭ６：１３」なる表示と、表示可能な電子番組表の日（曜日）の範囲を示す表示とが行なわれるようになっている。
【００５５】
すなわち、今、電子番組表は、現在日時が１０月２８日（土）の午前６時１３分であるため、１０月２８日（土）の午前６時から、その１週間後である１１月４日（土）の午前５時台（午前６時未満）までの分が作成されている。そして、表示可能な電子番組表の日（曜日）の範囲は、現在の日（曜日）を含めて１週間先までの日（曜日）、つまり、１０／２８（土），２９（日），３０（月），３１（火），１１／１（水），２（木），３（金），４（土）なる８日間が順次並べて表示されたものとなっている。この場合、現在表示されている電子番組表の日（曜日）を示す文字［１０／２８（土）］が、他の日（曜日）を示す文字よりも拡大して表示されるようにしている。
【００５６】
また、この電子番組表では、その図中下部に、現在選局されている（電子番組表上でカーソルによって指示されている）番組Ｃ１について、放送の種類（地上Ｄ）、チャンネル番号（０４１ｃｈ）、番組名（Ｃ１）及び放送時間（ＡＭ６：００〜ＡＭ７：３０）等を表示している。この場合、現在選局されている番組Ｃ１は、その電子番組表内における表示領域が他の番組の表示領域と色を変えて表示されることがカーソルで指示されていることになるが、図４では、ハッチングで囲むことにより表現している。
【００５７】
さらに、この電子番組表には、その図中下部に、上記リモートコントローラ１７のカラーキー１７ｍの各色（青，赤，緑，黄）にそれぞれ対応させて、その色のカラーキー１７ｍが操作されたときに実現される機能が表示されている。
【００５８】
そして、この電子番組表は、リモートコントローラ１７のカーソルキー１７ｆを操作することにより、上下左右方向に選択的にスクロールさせることが可能である。また、リモートコントローラ１７のページ切換キー１７ｉを操作すれば、電子番組表を１画面単位で上下左右方向に選択的にスキップさせることが可能である。
【００５９】
この場合、時間軸方向にスクロールやスキップが行なわれると、各時間枠７３１〜７３５に表示される時間と、その時間に対応する番組情報とは、それぞれ移動後の時間及び番組情報に変更されることになる。また、チャンネル軸方向にスクロールやスキップが行なわれた場合、各チャンネル表示枠７２１〜７２６に表示される放送局及びチャンネルと、それに対応する番組情報とは、それぞれ移動後の放送局及びチャンネルと番組情報とに変更されることになる。
【００６０】
ここで、ユーザがリモートコントローラ１７の番組表キー１７ｈを操作したときに、映像表示器１４に表示される電子番組表の特徴的な表示形態について説明する。すなわち、リモートコントローラ１７の番組表キー１７ｈが操作されたとき、上記番組表作成制御部６３ｅは、現在選局しているチャンネルまたは番組に無関係に、受信可能な放送局の中で事業者識別番号の最も小さい放送局を起点とし、かつ、現在日時を起点とした電子番組表を作成し表示させるように機能する。
【００６１】
具体的に言えば、リモートコントローラ１７の番組表キー１７ｈが操作された場合、番組表作成制御部６３ｅは、受信可能な放送局の中で事業者識別番号の小さい放送局Ａ〜Ｆの順に、チャンネル表示枠７２１〜７２６に順次割り当てるようにしている。また、日時については、現在日時、つまり、１０月２８日で、図中一番上の時間枠７３１に午前６時台を割り当てるようにしている。
【００６２】
このように、ユーザがリモートコントローラ１７の番組表キー１７ｈを操作することにより、電子番組表の表示が要求されたとき、映像表示器１４に表示される電子番組表が、現在選局しているチャンネルまたは番組に無関係に、受信可能な放送局の中で事業者識別番号の最も小さい放送局を起点とし、かつ、現在日時を起点とする表示形態に規定されるようにしている。
【００６３】
この場合、番組表作成制御部６３ｅは、信号処理部４８から送られてくるデータに基づいて、事業者識別番号を認識している。ここでいう「事業者識別番号」は、日本の場合、総務大臣指定の「電波有効利用促進センター」及び「指定周波数変更対策機関」である社団法人 電波産業会［略称ＡＲＩＢ（association of radio industries and businesses）］が地上デジタル放送の規格として定めたＴＲ（technical report）−Ｂ１４ 第７編 ９章に記載の「地域事業識別」のことを指している。このような規格に基づいた順序で放送局を配列することにより、表示が要求されたとき、常に新聞や雑誌等のテレビジョン番組の表示欄と同様の表示形態で電子番組表を表示することができる。
【００６４】
すなわち、ユーザがどの番組を選局しているときであっても、電子番組表の表示を要求したときには、常に同じ放送局順で電子番組表が表示されることになる。このように、新聞や雑誌等のテレビジョン番組の表示欄と同様の表示形態で電子番組表が表示されることにより、ユーザは、他のチャンネルや番組を検索する際に、スクロールやスキップを行なう方向を容易に把握することができ、ユーザにとって分かり易い番組表示を行なうことができる。
【００６５】
この点に関し、従来の電子番組表は、その表示が要求されたときに、現在選局しているチャンネルまたは番組を起点とした形態での表示が行なわれるため、ユーザが他のチャンネルや番組を検索する際に、スクロールやスキップを行なう方向を判別し辛く、ユーザにとって分かり難いものとなっている。
【００６６】
ここで、例えば、ユーザが放送局Ｃの番組Ｃ１を選局中に、リモートコントローラ１７の番組表キー１７ｈを操作した場合、その放送局Ｃは、受信可能な放送局の中で事業者識別番号の最も小さい放送局を起点として表示される電子番組表の中に含まれる。このような場合、選局中の番組Ｃ１については、その表示領域を図４にハッチングで囲んで示すようにカーソルで指示して、ユーザにとって分かり易い表示を行なっている。
【００６７】
図５は、ユーザがリモートコントローラ１７の番組表キー１７ｈを操作したときに、映像表示器１４に表示される電子番組表の表示形態の他の例を示している。例えば、ユーザがリモートコントローラ１７の番組表キー１７ｈを操作したときに選局していた放送局が、事業者識別番号の最も小さい放送局を起点として最初に表示される６つの放送局Ａ〜Ｆに含まれていない場合が考えられる。すなわち、事業者識別番号の小さい順に選出される６つの放送局Ａ〜Ｆの中に含まれない放送局Ｇの番組Ｇ１を選局している状態で、リモートコントローラ１７の番組表キー１７ｈが操作された場合、その放送局Ｇは最初の電子番組表に表示されないことになる。
【００６８】
このような場合、図５に示すように、選局中の放送局Ｇについては、電子番組表の一番左側のチャンネル表示枠７２１に割り当てて、その放送予定番組Ｇ１〜Ｇ５の表示を行なうようにすることができる。この場合、選局中の番組Ｇ１については、その表示領域を図５にハッチングで囲んで示すようにカーソルで指示して、ユーザにとって分かり易い表示を行なっている。なお、他のチャンネル表示枠７２２〜７２６には、事業者識別番号の小さい放送局Ａ〜Ｅが順次割り当てられ、放送局Ｆは最初の電子番組表には表示されないことになる。
【００６９】
このようにすれば、ユーザは、電子番組表を表示させたとき、現在選局している放送局Ｇ（チャンネル番号０８１）について今後の放送予定番組を認識することができるとともに、他の放送局については、常に同じ放送局順で電子番組表が表示されることになり、ユーザにとって分かり易い番組表示を行なうことができる。
【００７０】
図６は、ユーザがリモートコントローラ１７の番組表キー１７ｈを操作したときに、映像表示器１４に表示される電子番組表の表示形態のさらに他の例を示している。すなわち、ユーザがリモートコントローラ１７の番組表キー１７ｈを操作して電子番組表の表示を要求したとき、映像表示器１４に表示される電子番組表が、受信可能な放送局の中で事業者識別番号の最も小さい放送局を起点とした表示形態で表示される際、図６にハッチングで示すように、事業者識別番号の最も小さい放送局Ａが強制的に選局され、現在放送中の番組Ａ１がカーソルで指示されるようにしている。この場合、電子番組表が表示される前の選局は無効となる。
【００７１】
このように、ユーザがどの番組を選局しているときであっても、電子番組表の表示を要求したときに、事業者識別番号の最も小さい放送局Ａが選局され現在放送中の番組Ａ１がカーソルで指示されるようにすることにより、常に同じ放送局順で電子番組表が表示されるとともにカーソルの位置も認識し易くなる。これにより、ユーザは、他のチャンネルや番組を検索する際に、スクロールやスキップを行なう方向を容易に把握することができ、ユーザにとって分かり易い番組表示を行なうことができる。
【００７２】
図７は、ユーザがリモートコントローラ１７の番組表キー１７ｈを操作したときに、映像表示器１４に表示される電子番組表の表示形態のさらに他の例を示している。すなわち、図４に示したように、電子番組表には６つのチャンネル表示枠７２１から７２６が配列され、６つの放送局を表示することができるようになっている。
【００７３】
これに対し、受信可能な放送局の数が６未満、例えば４つである場合、図７に示すように、放送局数に合わせた４つのチャンネル表示枠７２１〜７２４を、その幅が電子番組表の水平方向の全域にほぼ均等に割り付けられるように拡張している。このようにすれば、１つの放送局に対する番組情報の表示領域が広がるので、表示する情報量を多くすることや、文字サイズを大きくすること等が可能となり、ユーザにとって分かり易い番組表示を行なうことができる。
【００７４】
図８は、上記した各種の表示形態の電子番組表を作成する処理動作をまとめたフローチャートを示している。すなわち、処理が開始（ステップＳ１）されると、番組表作成制御部６３ｅは、ステップＳ２で、電子番組表の表示形態が、従来通りの現在選局しているチャンネルを起点とするように設定されているか、上記した事業者識別番号の最も小さい放送局を起点とするように設定されているかを判別する。
【００７５】
すなわち、このデジタルテレビジョン放送受信装置１１では、現在選局しているチャンネルを起点とする表示形態（現在チャンネル優先）の電子番組表を表示するか、事業者識別番号の最も小さい放送局を起点とする表示形態（事業者順優先）の電子番組表を表示するかを、ユーザが選択的に設定することができるようになっている。
【００７６】
この設定は、ユーザが、リモートコントローラ１７のメニューキー１７ｐを操作して、階層構造となされたメニュー画面に分け入ることにより、図９に示すような表示形態選択画面に到達し、その画面上で「現在チャンネル優先」及び「事業者順優先」のいずれかの項目をカーソルキー１７ｆで選択し、決定キー１７ｇで決定することにより可能となる。
【００７７】
「現在チャンネル優先」の項目が選択決定された場合、現在選局しているチャンネルを起点とする表示形態の電子番組表を表示するように設定され、「事業者順優先」の項目が選択決定された場合、事業者識別番号の最も小さい放送局を起点とする表示形態の電子番組表を表示するように設定される。
【００７８】
そして、上記ステップＳ２で、現在チャンネル優先に設定されていると判断された場合（ＹＥＳ）、番組表作成制御部６３ｅは、ステップＳ３で、現在選局しているチャンネルを起点とする表示形態の電子番組表を作成し表示させて、処理を終了（ステップＳ１１）する。
【００７９】
また、上記ステップＳ２で事業者順優先に設定されていると判断された場合（ＮＯ）、番組表作成制御部６３ｅは、ステップＳ４で、受信可能な放送局が電子番組表の１画面内に全て表示可能であるか否か、つまり、受信可能な放送局の数がチャンネル表示枠７２１〜７２６の数（６）以下であるか否かを判別する。
【００８０】
そして、受信可能な放送局が電子番組表の１画面内に全て表示可能であると判断された場合（ＹＥＳ）、番組表作成制御部６３ｅは、ステップＳ５で、受信可能な放送局の数が電子番組表の１画面内に表示可能な放送局数よりも少ないか否か、つまり、受信可能な放送局の数がチャンネル表示枠７２１〜７２６の数（６）未満であるか否かを判別する。
【００８１】
ここで、受信可能な放送局の数が電子番組表の１画面内に表示可能な放送局数よりも少ないと判断された場合（ＹＥＳ）、番組表作成制御部６３ｅは、ステップＳ６で、放送局数に合わせた数のチャンネル表示枠を、図７に示したように、その幅が電子番組表の水平方向の全域にほぼ均等に割り付けられるように変更する。
【００８２】
また、上記ステップＳ４で受信可能な放送局が電子番組表の１画面内に全て表示可能でないと判断された場合（ＮＯ）、番組表作成制御部６３ｅは、ステップＳ７で、最初に表示される電子番組表内に現在選局中の放送局が収容されているか否かを判別し、収容されていないと判断された場合（ＮＯ）、ステップＳ８で、最初に表示される電子番組表内に収容されない現在選局中の放送局を、図５に示したように、最初に表示される電子番組表内に収容されるように設定する。
【００８３】
そして、上記ステップＳ６またはＳ８の後、または、上記ステップＳ５で受信可能な放送局の数が電子番組表の１画面内に表示可能な放送局数よりも少なくない、つまり、受信可能な放送局の数がチャンネル表示枠７２１〜７２６の数（６）と同じと判断された場合（ＮＯ）、または、上記ステップＳ７で最初に表示される電子番組表内に現在選局中の放送局が収容されていると判断された場合（ＹＥＳ）、番組表作成制御部６３ｅは、ステップＳ９で、最初に表示される電子番組表内で番組を指示するカーソルの位置を設定し、ステップＳ１０で、事業者識別番号の最も小さい放送局を起点とする表示形態の電子番組表を表示して、処理を終了（ステップＳ１１）する。
【００８４】
ここで、上記した実施の形態では、電子番組表の表示が要求されたとき、表示される電子番組表に事業者識別番号の小さい放送局から順に記述するようにしたが、この順序としては事業者識別番号だけに限らず、例えば、予め規格化された事業者順を採用しても良いことはもちろんである。
【００８５】
ここでいう予め規格化された事業者順とは、例えば、新聞や雑誌等に番組表が記載される際に、各国や各地域において定められた番組の並び順がある場合に、その定められた並び順に従った事業者順のことを指している。この場合、番組表作成制御部６３ｅは、信号処理部４８等から供給された情報に基づいて、予め規格化された順に電子番組表を作成し表示させるように機能する。したがって、この順に放送局が記述されることで、新聞や雑誌等に記載された番組表と同様の表示形態の電子番組表を得ることができる。
【００８６】
なお、この発明は上記した実施の形態そのままに限定されるものではなく、実施段階ではその要旨を逸脱しない範囲で構成要素を種々変形して具体化することができる。また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【符号の説明】
【００８７】
１１…デジタルテレビジョン放送受信装置、１２…キャビネット、１３…支持台、１４…映像表示器、１５…スピーカ、１６…操作部、１７…リモートコントローラ、１８…受光部、１９…第１のメモリカード、２０…第２のメモリカード、２１…第１のＬＡＮ端子、２２…第２のＬＡＮ端子、２３…ＵＳＢ端子、２４…ＩＥＥＥ１３９４端子、２５…ＨＤＤ、２６…ハブ、２７…ＨＤＤ、２８…ＰＣ、２９…ＤＶＤレコーダ、３０…アナログ伝送路、３１…ブロードバンドルータ、３２…ネットワーク、３３…ＰＣ、３４…携帯電話、３５…ハブ、３６…携帯電話、３７…デジタルカメラ、３８…カードリーダ／ライタ、３９…ＨＤＤ、４０…キーボード、４１…ＡＶ−ＨＤＤ、４２…Ｄ−ＶＨＳ、４３…アンテナ、４４…入力端子、４５…チューナ、４６…ＰＳＫ復調器、４７…ＴＳ復号器、４８…信号処理部、４９…アンテナ、５０…入力端子、５１…チューナ、５２…ＯＦＤＭ復調器、５３…ＴＳ復号器、５４…チューナ、５５…アナログ復調器、５６…グラフィック処理部、５７…音声処理部、５８ａ〜５８ｄ…入力端子、５９…ＯＳＤ信号生成部、６０…映像処理部、６１…出力端子、６２…出力端子、６３…制御部、６３ａ…ＣＰＵ、６３ｂ…ＲＯＭ、６３ｃ…ＲＡＭ、６３ｄ…不揮発性メモリ、６３ｅ…番組表作成制御部、６４…カードＩ／Ｆ、６５…カードホルダ、６６…カードＩ／Ｆ、６７…カードホルダ、６８…通信Ｉ／Ｆ、６９…通信Ｉ／Ｆ、７０…ＵＳＢ Ｉ／Ｆ、７１…ＩＥＥＥ１３９４ Ｉ／Ｆ、７２１〜７２６…チャンネル表示枠、７３１〜７３５…時間枠。
【図１】
2010028857.tif 000003
【図２】
2010028857.tif 000004
【図３】
2010028857.tif 000005
【図４】
2010028857.tif 000006
【図５】
2010028857.tif 000007
【図６】
2010028857.tif 000008
【図７】
2010028857.tif 000009
【図８】
2010028857.tif 000010
【図９】
2010028857.tif 000011